(57)【特許請求の範囲】
【請求項１】
電子式電力量計本体を収容する容器と該容器の開口部を覆う蓋部とを有し、容器開口部周辺に電源または負荷との接続部を設けた電子式電力量計において、
前記接続部が、各相の端子を配置する凹部である端子用凹部と、該端子用凹部の側部に設けた端子隔壁と、各相間の端子隔壁に前記蓋部を前記容器に固定する封印ネジと、該封印ネジを表面から封印する封印キャップよりなる封印部と、を有し、
前記蓋部の封印キャップが設けられる部分に封印キャップ装着溝を設け、
前記接続部を覆う端子カバーで、前記封印キャップが前記接続部を覆い、この端子カバーを装着したときに、封印キャップの一部が端子カバーから露出している構造であることを特徴とする電子式電力量計。
【請求項２】
電子式電力量計が、配線用遮断器形に形成される請求項１に記載の電子式電力量計。
【発明の詳細な説明】
【０００１】
【発明の属する技術分野】
本発明は、電子式電力量計の構造に関し、特に配線用遮断器形の電子式電力量計の封印構造に関する。
【０００２】
【従来の技術】
取引用や証明用に使用される計器、例えば電力量計を取引用や証明用に使用するには、検定を受けたときに検定封印を施す必要があるが、従来の単独計器としての電力量計の封印構造は、電力量計１Ａの正面図を示す図７のように、本体と蓋部を締結する封印ネジｂに封印キャップａを装着しているが、これでも電力量計自体が大きいためそれほど問題とはならなかった。
【０００３】
近年の地球環境問題の一環とするエネルギー管理方法の一助として、電力エネルギーにおいてもきめ細かく管理する必要性が生じているが、これを管理するための電力量計を例えば既存の分電盤や機械設備に取付けるには、電力量計が大きいことから、物理的な限界がある。このような理由により電力量計自体の小型化も急務となっており、電子式電力量計が広く用いられるようになってきた。
【０００４】
図８に示すような配線用遮断器形とすることによって小型化を図った電子式電力量計１Ｂがある。図８はその正面図を示している。この電子式電力量計Ｂは、本体を収容する空間を有する容器１０と、容器１０の開口部を覆う蓋部３０とを有しており、容器１０の開口部の周辺の上面および下面に外部の電線を接続するための接続部が、図示のように電源側の外部電線が接続される電源側接続部１１Ｓと負荷側の外部電線が接続される負荷側接続部１１Ｌとが、対向して設けられている。接続部には端子隔壁１３Ｓ、１３Ｌと、計器取付け用ネジ孔１４Ｓ、１４Ｌと、外部電線接続用端子ネジ１７Ｓ、１７Ｌと、発信パルス出力端子用凹部１８が設けられて、配電用遮断器形として構成される。
このような形状になっても、取引用や証明用に使用する電力量計は、検定および検定封印が必要になる。単独計器の封印は図７に示すようなキャップ構造であるが、封印はその性質上、それを容易に確認できる必要がある。
しかし、図８に示されるような、ある規定寸法の電子式電力量計において、その封印キャップａを、図９または図１０のように計器前面の位置に装着しようとすると、封印キャップａの一部が容器１０に食い込むような状態になり、本体を収容する容器１０の内部容積を減少させることになって、設計の合理性を欠きコスト高や複雑化による品質の低下をまねくことになる。
【０００５】
さらに、計器前面の表示部や必要記載事項面積が小さくなって計器運用面での弊害もまねくことになる。
【０００６】
【発明が解決しようとする課題】
そこで本発明は、計器寸法の拡大をまねくことなく、容易に封印部を封印し、且つ封印を確認することができるようにした封印構造を有する配線用遮断器形電子式電力量計を提供することを目的とする。
【０００７】
【課題を解決するための手段】
上記課題を解決するために、本発明は、封印部を各相間の端子隔壁に装着することにより、電子式電力量計の小型化を図った。
【０００８】
すなわち、本発明は、電子式電力量計本体を収容する容器と該容器の開口部を覆う蓋部とを有し、容器開口部周辺に電源または負荷との接続部を設けた電子式電力量計において、前記接続部が、各相の端子を配置する凹部である端子用凹部と、該端子用凹部の側部に設けた端子隔壁とを有し、各相間の端子隔壁に封印部を設けた。
【０００９】
さらに、本発明は、上記電子式電力量計において、前記封印部を、前記蓋部を前記容器に固定する封印ネジと、該封印ネジを表面から封印する封印キャップより構成した。さらに、上記電子式電力量計において、前記封印キャップを、前記接続部を覆う端子カバーを装着したときに、一部が端子カバーから露出するように配置する。
【００１０】
本発明は、電子式電力量計を、配線用遮断器形に形成した。
【００１１】
【発明の実施の形態】
以下、本発明にかかる封印部を装着した電子式電力量計の実施例について、図１〜図６を用いて説明する。
【００１２】
図１は、端子カバーが外された状態の電子式電力量計１の外観構造を概略的に示す斜視図、図２は正面図、図３は下面図、図４は側面図、図５は端子カバーを取付けた状態を示す正面図、図６は端子カバーの斜視図である。
【００１３】
本発明の実施例にかかる封印部を備えた電子式電力量計１は、図示を省略した電子式電力量計本体を収容する空間を有する容器１０と、容器１０の開口部を覆う蓋部３０とを有して構成されている。
【００１４】
容器１０は、前記本体を収容する内部空間を有する箱体として形成され、その開口周辺の上面および下面に電源側の外部電線が接続される電源側接続部1１Ｓおよび負荷側の外部電線が接続される負荷側接続部１１Ｌが、図示のように対向して設けられている。
【００１５】
電源側接続部１１Ｓには、電源側接続部１１Ｓと負荷側接続部１１Ｌとを接続する電流線の端子部１６Ｓが配置される端子用凹部１２Ｓと、その両側部に設けた端子隔壁１３Ｓと、一つの端子隔壁に設けられた計器取付け用ネジ孔１４Ｓと、他の一つの端子隔壁に設けられた本発明にかかる封印部を構成する蓋部３０を容器１０に固定する封印ネジｂが挿入固定される穴と、プラスチック製の封印キャップａの装着溝１５Ｓとが形成される。１７Ｓは外部電線接続用の端子ネジである。
【００１６】
負荷側接続部１１Ｌにも、上記の電源接続部１１Ｓと同様に、電流線の端子部１６Ｌが配置される端子用凹部１２Ｌと、その両側部に設けた端子隔壁１３Ｌと、一つの端子隔壁に設けられた計器取付け用ネジ孔１４Ｌと、他の一つの端子隔壁に設けられた本発明にかかる封印部を構成する蓋部３０を容器１０に固定する封印ネジｂが挿入固定される穴と、プラスチック製の封印キャップａの装着溝１５Ｌとが形成される。１７Ｌは外部電線接続用の端子ネジ、１８は両側の端子隔壁１３Ｌに形成された後述の発信パルス出力端子用凹部、１９は発信パルス出力端子ネジである。
【００１７】
装着溝１５Ｓ，１５Ｌは、下端部が蓋３０の一部にまで延びて形成され、接続部を端子カバーで覆ったときに、封印キャップａが一部露出して、封印を確認できるように構成される。
【００１８】
端子カバーの少なくとも封印に対向する部分に透明な材料を用いて形成することによって、上記の装着溝１５Ｓ、１５Ｌの構成としなくても、封印を確認することができる。
【００１９】
蓋部３０は、容器１０に固定された電子式電力量計本体の表面を保護するもので、その表面には、計量した電力量を表示する計量値表示部３１と、動作状態を表示する動作表示部３２と、計量パルスを発光ダイオードなどで表示する計量パルス発信部３３を有しているが、図１にはこれらの図示が省略されている。
【００２０】
図示されるように、端子隔壁に設けられる電源側の計器取付け用ネジ孔１４Ｓと負荷側の封印キャップａの装着溝１５Ｌ、および電源側の封印キャップａの装着溝１５Ｓと負荷側の計器取付け用ネジ孔１４Ｌを、それぞれ同一線上に対向するように設けるのが好ましい。
【００２１】
ｂは封印ネジであり、本体容器１０と蓋部３０とを締結し、検定を受けた後、その上に装着溝１５Ｓ、１５Ｌを介して封印キャップａが装着されて固着封印される。
【００２２】
そして封印後、図６に示されるような端子カバー２０が、電源側接続部１１Ｓと負荷側接続部１１Ｌの両方に装着され、固定ノブ２１により固定される（図５）。端子カバー２０には、端子カバー２０を蓋部３０に固定する固定ノブ２１と封印キャップａの覆い２２が設けられている。
【００２３】
端子カバー２０が装着された状態においても、端子カバー２０と計器前面との間隙２３から封印キャップａの一部が見えるので、封印状態を容易に確認することができる。
【００２４】
【発明の効果】
このように、本発明によれば、端子隔壁に封印部を設けることにより、電子式電力量計本体を収容する容器の内容積や表示記載面積の減少をまねくことがなく封印することができる。また封印部は本体容器に設けられているので容易に外れることがなく、封印キャップの材質もプラスチックであるため配線時の安全性を保つことができる。また、端子カバーを装着した状態においても端子カバーと計器前面との間隙により封印状態を容易に確認することができる。
【図面の簡単な説明】
【図１】  本発明の実施の形態にかかる配線用遮断器形電子式電力量計の外観構造を概略的に示す斜視図。
【図２】  図１の電子式電力量計の正面図。
【図３】  図１の電子式電力量計の下面図。
【図４】  図１の電子式電力量計の側面図。
【図５】  図１の電子式電力量計の、検定を受けた後端子カバーが装着された状態を示す正面図。
【図６】  図１の電子式電力量計用の端子カバーの外観構造を概略的に示す斜視図。
【図７】  従来の電子式電力量計の外観構造を示す正面図。
【図８】  配線用遮断器形電子式電力量計の計器前面に封印部を設けていない場合の外観構造を示す正面図。
【図９】  図８の配線用遮断器形電子式電力量計の計器前面に封印部を設けた場合の外観構造を示す正面図。
【図１０】  図８の配線用遮断器形電子式電力量計の計器前面図９とは異なる位置に封印部を設けた場合の外観構造を示す正面図。
【符号の説明】
１  配線用遮断器形電子式電力量計
１０  本体容器
１１Ｓ、１１Ｌ  接続部
１２Ｓ、１２Ｌ  端子用凹部
１３Ｓ、１３Ｌ  端子隔壁
１４Ｓ、１４Ｌ  計器取付け用ネジ孔
１６Ｓ、１６Ｌ  電流線端子部
１７Ｓ、１７Ｌ  外部電線接続用端子ネジ
１８  発信パルス出力端子用凹部
１９  発信パルス出力端子ネジ
２０  端子カバー
２１  端子カバー固定ノブ
２２  封印キャップ覆い
２３  間隙
３０  蓋部
３１  計量値表示部
３２  動作表示部
３３  計量パルス発信部
ａ  封印キャップ
ｂ  封印ネジ
【図１】
0003866541.tif 000002
【図２】
0003866541.tif 000003
【図３】
0003866541.tif 000004
【図４】
0003866541.tif 000005
【図５】
0003866541.tif 000006
【図６】
0003866541.tif 000007
【図７】
0003866541.tif 000008
【図８】
0003866541.tif 000009
【図９】
0003866541.tif 000010
【図１０】
0003866541.tif 000011